(57)【要約】      （修正有）【課題】収容力があって軽量コンパクトで丈夫なペンケースを提供する。【解決手段】本体部１１と蓋部１２が凹形状にＥＶＡ一体成型され、接続部１３を支点に蓋部１２を開閉可能とし、蓋部１２より本体部１１の方が凹形状の窪みが深く、固定部１５が本体部１１に蓋部１２を閉状態で固定し、仕切り部が本体部１１の内側の側面に着脱可能に取り付けられてペンケース内部を本体部１１側と蓋部１２側に分離し、接続部１３の外側に取っ手となるハンドル部１６を備えたペンケースである。【選択図】図１
2019051361.tif 000002
【特許請求の範囲】
【請求項１】
本体部と蓋部を備えるペンケースであって、
前記本体部及び前記蓋部が、ＥＶＡ材料を内側の素材と外側の素材で挟んで凹形状に一体成型され、
前記蓋部より前記本体部の方が凹形状の窪みが深く、
前記本体部の側面に着脱可能に取り付けられ、前記本体部と前記蓋部とを分ける仕切り部と、
前記本体部の一辺と前記蓋部の一辺とを接続し、前記蓋部を開閉可能とする接続部と、
前記本体部に前記蓋部が閉状態で固定される固定部とを有することを特徴とするペンケース。
【請求項２】
仕切り部は、ホック式で着脱可能に取り付けられることを特徴とする請求項１記載のペンケース。
【請求項３】
仕切り部は、上面に筆記具を保持するホールド部を複数有することを特徴とする請求項１又は２記載のペンケース。
【請求項４】
固定部は、スライドファスナーであることを特徴とする請求項１乃至３のいずれか記載のペンケース。
【請求項５】
固定部は、スライドファスナーの両端から開閉する２つのスライダーを有していることを特徴とする請求項４記載のペンケース。
【請求項６】
接続部の外側にハンドル部を設けたことを特徴とする請求項１乃至５のいずれか記載のペンケース。
【請求項７】
蓋部の内側に、薄い形状の文房具を収納する収納部を備えたことを特徴とする請求項１乃至６のいずれか記載のペンケース。
【発明の詳細な説明】
【技術分野】
【０００１】
本発明は、ペンケースに係り、特に、収容力があって軽量コンパクトで丈夫なペンケースに関する。
【背景技術】
【０００２】
［先行技術の説明］
従来のペンケースは、箱形でスライドファスナーにより開閉するタイプのものがある。
ただ、このタイプの場合、底部の強度を高めるために、二重底にしている。
二重底の構成は、ＥＶＡ（Ethylene-Vinyl Acetate：エチレン−酢酸ビニル共重合樹脂）材料を型に押さえ込んで成型（ＥＶＡ成型）したものが用いられている。
【０００３】
［関連技術］
尚、関連する先行技術としては、実用新案登録第３０８３１５８号公報「筆入れ」（大山株式会社）［特許文献１］、実用新案登録第３１０１２７８号公報「ペンケース」（株式会社ユニオン）［特許文献２］、実開昭６１−２０４５１７号公報「筆入れ」（アルプス化成有限会社）［特許文献３］がある。
【０００４】
特許文献１には、箱形のペンケースにおいて、一方から開閉できるスライドファスナーを備え、ペンケースの上下を分ける仕切り部が取り外しできないように固定されていることが記載されている。
【０００５】
特許文献２には、ペンケースにおいて、スライドファスナーを備え、外蓋体が立体的に形成されていることが記載されている。
特許文献３には、磁石によって開閉するペンケースにおいて、本体が上下に分離され、２つの収納部が形成されていることが記載されている。
【先行技術文献】
【特許文献】
【０００６】
【特許文献１】実用新案登録第３０８３１５８号公報
【特許文献２】実用新案登録第３１０１２７８号公報
【特許文献３】実開昭６１−２０４５１７号公報
【発明の概要】
【発明が解決しようとする課題】
【０００７】
しかしながら、従来の箱形のペンケースでは、本体下部の底面の強度を確保するために、ＥＶＡ成型した素材を用いて二重底にしているため、外観の大きさに比べて内側の文房具等を収納する量を多くすることができないという問題点があった。
【０００８】
また、従来の箱形ペンケースでは、スライドファスナーの開口部を下側にした場合に、筆記具又は定規等が滑り出てしまうことがあるという問題点もあった。
【０００９】
尚、特許文献１には、ペンケースにおいて、スライドファスナーで開閉し、中仕切りを有している構成が示されているものの、本体部分がＥＶＡ一体成型とはなっていないものである。
【００１０】
また、特許文献２では、ペンケースにおいて、蓋となる外蓋体と底となる外蓋体が同じ形状であるため、開口部を下側に向けた場合に、多くの筆記具が滑り出ることになる。
【００１１】
また、特許文献３では、ペンケース本体を上下に分離する構造であるが、蓋が２つあって別々に開閉しなければならないものである。
【００１２】
本発明は上記実状に鑑みて為されたもので、収容力があって軽量コンパクトで丈夫なペンケースを提供することを目的とする。
【課題を解決するための手段】
【００１３】
上記従来例の問題点を解決するための本発明は、本体部と蓋部を備えるペンケースであって、本体部及び蓋部が、ＥＶＡ材料を内側の素材と外側の素材で挟んで凹形状に一体成型され、蓋部より本体部の方が凹形状の窪みが深く、本体部の側面に着脱可能に取り付けられ、本体部と蓋部とを分ける仕切り部と、本体部の一辺と蓋部の一辺とを接続し、蓋部を開閉可能とする接続部と、本体部に蓋部が閉状態で固定される固定部とを有することを特徴とする。
【００１４】
また、本発明は、上記ペンケースにおいて、仕切り部が、ホック式で着脱可能に取り付けられることを特徴としている。
【００１５】
また、本発明は、上記ペンケースにおいて、仕切り部が、上面に筆記具を保持するホールド部を複数有することを特徴としている。
【００１６】
また、本発明は、上記ペンケースにおいて、固定部が、スライドファスナーであることを特徴としている。
【００１７】
また、本発明は、上記ペンケースにおいて、固定部が、スライドファスナーの両端から開閉する２つのスライダーを有していることを特徴としている。
【００１８】
また、本発明は、上記ペンケースにおいて、接続部の外側にハンドル部を設けたことを特徴としている。
【００１９】
また、本発明は、上記ペンケースにおいて、蓋部の内側に、薄い形状の文房具を収納する収納部を備えたことを特徴としている。
【発明の効果】
【００２０】
本発明によれば、本体部と蓋部を備え、本体部及び蓋部が、ＥＶＡ材料を内側の素材と外側の素材で挟んで凹形状に一体成型され、蓋部より本体部の方が凹形状の窪みが深く、仕切り部が本体部の側面に着脱可能に取り付けられ、本体部と蓋部とを分けて、接続部が本体部の一辺と蓋部の一辺とを接続し、蓋部を開閉可能とし、本体部に蓋部が閉状態で固定部により固定されるペンケースとしているので、収納の量を増やし、開口部が下側を向いても仕切り部によって筆記具等が滑り落ちず、軽量コンパクトかつ丈夫な構成にできる効果がある。
【図面の簡単な説明】
【００２１】
【図１】本ペンケースの概略図である。
【図２】本ペンケースの正面説明図である。
【図３】本ペンケースの側面説明図である。
【図４】本ペンケースを開いた状態を示す概略図である。
【図５】本ペンケースにおいて仕切り部１４を取り外した状態を示す概略図である。
【発明を実施するための形態】
【００２２】
本発明の実施の形態について図面を参照しながら説明する。
［実施の形態の概要］
本発明の実施の形態に係るペンケースは、本体部と蓋部を備え、その本体部と蓋部がＥＶＡ材料を内側の素材と外側の素材で挟んで凹形状に一体成型（ＥＶＡ成型）され、蓋部より本体部の方が凹形状の窪みが深く、本体部と蓋部とを分ける仕切り部が本体部の内側の側面に着脱可能に取り付けられ、本体部の一辺と蓋部の一辺とを接続し、蓋部を開閉可能とする接続部と、本体部に蓋部が閉状態で固定される固定部とを有するものであり、本体部と蓋部をＥＶＡ一体成型としたことで強度を高め、二重底の構造としないために収納量が多くなり、開口部が下側を向いても仕切り部によって筆記具等が滑り落ちず、軽量コンパクトかつ丈夫な構成にできるものである。
【００２３】
［本ペンケース：図１〜３］
本発明の実施の形態に係るペンケース（本ペンケース）について図１〜３を参照しながら説明する。図１は、本ペンケースの概略図であり、図２は、本ペンケースの正面説明図であり、図３は、本ペンケースの側面説明図である。
本ペンケースは、図１〜３に示すように、本体部１１と、蓋部１２と、接続部１３と、仕切り部１４と、固定部１５と、ハンドル部１６とを基本的に有している。
【００２４】
［本ペンケースの各部］
本ペンケースの各部を具体的に説明する。
本体部１１は、筆記具及び文房具を収納するために凹形状の略箱型となっており、底面と４つの側面を備えている。
本体部１１は、ＥＶＡ材料を外側の素材と内側の素材で挟み込んで一体成型（ＥＶＡ成型）したものである。
【００２５】
内側の素材と外側の素材は、ポリエステルで形成されている。
但し、内側の素材は柔らかめの生地とし、外側の素材は丈夫な硬めの生地としている。そして、外側の素材は、撥水加工されており、水が浸み込み難く、汚れ難いものとなっている。
本ペンケースは、芯材をＥＶＡ材料とし、外側の素材がポリエステルの撥水加工としているので、水に濡れても型崩れすることがない。
【００２６】
蓋部１２は、ＥＶＡ材料を外側の素材と内側の素材で挟み込んでＥＶＡ一体成型した凹形状となっており、上面と４つの側面を備えている。但し、蓋部１２は、閉状態で凹部が下側を向くように取り付けられる。ここで、内側の素材と外側の素材は、ポリエステルで形成されている。また、外側の素材をポリウレタン又は塩化ビニル（ＰＶＣ）から成る合成皮革（合皮）としてもよい。
尚、蓋部１２の凹部の窪みに対して本体部１１の凹部の窪みが深くなっている。
【００２７】
接続部１３は、本体部１１と蓋部１２を開閉可能に接続するものである。具体的には、本体部１１における側面の端部長辺の一部と蓋部１２における側面の端部長辺の一部が接続している。この接続部１３を支点に蓋部１２が開閉する構造である。
【００２８】
仕切り部１４は、本体部１１の内側に設けられるもので、本ペンケースの内部を蓋部１２側（上側）と本体部１１側（下側）で分離するものである。そして、仕切り部１４により、本体部１１の内側に収納された筆記具又は文房具等の滑り落ちを防止している。
また、仕切り部１４は、本体部１１の内側の側面に取り付けられており、ホック式により固定する。尚、ホック式に代えて面ファスナーで固定してもよい。
【００２９】
固定部１５は、本体部１１と蓋部１２とを閉じて固定するものである。図１では、固定部１５は、スライドファスナーで構成され、２つのスライダー１５ａ，１５ｂを備えている。スライドファスナーは、１つのスライダーで開閉する構成であってもよい。
尚、固定部１５をスライドファスナーに代えて、ホック又は磁石によって本体部１１と蓋部１２とを固定するものとしてもよい。
【００３０】
ハンドル部１６は、接続部１３の外側に設けられる小さな取っ手である。子供が持ち易い大きさとなっている。
尚、ハンドル部１６が接続部１３ではなく、接続部１３とは反対側の本体部１１の側面に設けられるとすると、固定部１５が開いている状態でハンドル部を持った場合に、蓋部１２と仕切り部１４が大きく開いてしまい、収納していた筆記具及び文房具等が滑り出てしまう。
しかしながら、ハンドル部１６が接続部１３に設けられているため、蓋部１２と仕切り部１４が大きく開くことがなく、収納している筆記具又は文房具等が滑り出ることを防止できる。
【００３１】
［本ペンケースの開いた状態：図４，５］
次に、本ペンケースが開いた状態について図４，５を参照しながら説明する。図４は、本ペンケースを開いた状態を示す概略図であり、図５は、本ペンケースにおいて仕切り部１４を取り外した状態を示す概略図である。
本ペンケースが開いた状態は、接続部１３を支点に本体部１１に対して蓋部１２が１８０°以上開く構成となっている。
【００３２】
蓋部１２の内側には、定規等の薄い文房具を収納する収納部１７が設けられ、収納部１７は、接続部１３と反対側が開口し、蓋部１２の短辺側と接続部１３側が固定されている。
そして、収納部１７は、収納物が分かるように、中央部分がメッシュの布で形成されている。
【００３３】
尚、収納部１７の開口部の全体又は一部に面ファスナー若しくはホックを設けて定規等の文房具の滑り出しを防止するようにしてもよい。
また、蓋部１２の内側で、接続部１３と反対側の長辺から収納部１７の開口部を覆い、当該開口部側を開口した布製の覆い部を形成するようにしてもよい。覆い部の開口部の端部をめくって収納部１７の開口部から定規等を挿入し、収納部１７の開口部を覆い部の端部が被さるようにすれば、定規等が滑り出ることを防止できる。
【００３４】
仕切り部１４は、中央に鉛筆又はペンを保持するホールド部１４ａを備えている。ホールド部１４ａは、伸縮自在のゴム紐で形成されてもよいし、伸縮しない固定のバンドであってもよい。
【００３５】
そして、仕切り部１４は、本体部１１の接続部１３が取り付けられた側面に、ホックで着脱自在に取り付けられるものである。ホックは、仕切り部１４に一方のホックが取り付けられ、本体部１１の側面に他方のホックが取り付けられ、例えば、仕切り部１４と本体部１１のそれぞれに２箇所ずつ設けて接続することで、仕切り部１４を安定的に固定している。尚、ホックの代わりに面ファスナーで固定してもよい。
【００３６】
他方のホックは、本体部１１の側面に穴を開けて直接形成するのではなく、他方のホックが取り付けられた布の端部を本体部１１の端部に縫い込み、本体部１１の側面に取り付けるようにするのが望ましい。
【００３７】
また、仕切り部１４は、接続部１３とは反対側の本体部１１の内側側面に接する程度の大きさとなっているので、本ペンケースの内部を上下に分離し、下側の筆記具又は文房具等を容易に滑り出ることを防止している。
【００３８】
［本ペンケースの製造方法］
本ペンケースの製造方法を説明する。
まず、本体部１１をＥＶＡ一体成型で形成し、同様に、蓋部１２をＥＶＡ一体成型で形成する。その後、蓋部１２には、収納部１７を形成する。ここで、収納部１７は、蓋部１２の裏面に仮固定される。
そして、接続部１３となる構成部品にハンドル部１６を取り付け、その構成部品に固定部１５のスライドファスナーを取り付ける。具体的には、構成部品の端部にファスナーの端部が固定される。
【００３９】
次に、ハンドル部１６とスライドファスナーが取り付けられた接続部１３の構成部品は、本体部１１と蓋部１２に取り付けられる。
具体的には、スライドファスナーの一方を本体部１１の周辺端部に取り付けると共に接続部１３の一方の長辺を本体部１１に取り付ける。また、スライドファスナーの他方を蓋部１２の周辺端部に取り付けると共に接続部１３の他方の長辺を蓋部１２に取り付ける。このスライドファスナーの他方を蓋部１２に取り付ける際に、収納部１７の開口部を除く周辺部分が蓋部１２に本固定される。
【００４０】
仕切り部１４を固定する他方のホックの金具は、布に取り付けておき、ＥＶＡ成型後に本体部１１の接続部１３に沿った長辺に仮固定し、スライドファスナーを取り付ける際に、一緒に縫い込むようにして取り付ける。このようにした方が、接続部１３とスライドファスナーが本体部１１と蓋部１２に取り付けられた後に、他方のホックが取り付けられた布を本体部１１に形成するより容易である。
【００４１】
［実施の形態の効果］
本ペンケースによれば、本体部１１と蓋部１２がＥＶＡ一体成型され、接続部１３を支点に蓋部１２を開閉可能とし、固定部１５が本体部１１に蓋部１２を閉状態で固定し、仕切り部１４が本体部１１の内側の側面に着脱可能に取り付けられて本体部１１と蓋部１２とを分けるようにしているので、本体部１１と蓋部１２をＥＶＡ一体成型としたことで強度を高め、二重底の構造としないために収納量を多くでき、軽量コンパクトにでき、固定部１５が固定されていなくても、蓋部１２が閉じた状態であれば、ハンドル部１６を持って開口部が下側を向いた状態でも、蓋部１２と仕切り部１４が開くことがないため筆記具等が滑り落ちないという効果がある。
【００４２】
また、本ペンケースは、接続部１３の外側に取っ手となるハンドル部１６を備えた構成としているので、持ち易く、使い勝手を向上させることができる効果がある。
【産業上の利用可能性】
【００４３】
本発明は、収容力があって軽量コンパクトで丈夫なペンケースに適している。
【符号の説明】
【００４４】
１１…本体部、  １２…蓋部、  １３…接続部、  １４…仕切り部、  １４ａ，１４ｂ…スライダー、  １５…固定部、  １６…ハンドル部、  １７…収納部
【図１】
2019051361.tif 000003
【図２】
2019051361.tif 000004
【図３】
2019051361.tif 000005
【図４】
2019051361.tif 000006
【図５】
2019051361.tif 000007